【事件の表示】
　特許第２６６９７００号「ユニット住宅用の出入リロ部ユニット」の特許に対する特許異議の申立てについて、次のとおり決定する。
【結論】
　訂正を認める。
　特許第２６６９７００号の特許を維持する。
【理由】
〔Ｉ〕　手続きの経緯
　本件特許第２６６９７００号発明は、平成１年１２月２７日に特許出願され、平成９年７月４日に特許権の設定の登録がなされた後、異議申立人
　岡田芳子により特許異議の申立てがなされ、次いで取消理由通知がなされ、その指定期間内に平成１０年１１月１２日付けで訂正請求がなされたものである。
〔ＩＩ〕　明細書の訂正請求について
１．訂正請求の趣旨及び訂正の内容
　訂正請求の趣旨は、特許第２６６９７００号の明細書を訂正請求書に添付した訂正明細書のとおり訂正することを求めるものである。
　そして、その訂正の内容は、以下のとおりである。
　ａ．特許請求の範囲（１）中の「一側を出入り口として外方へ開口させ」を、「一側を出入り口として外方へ開口させこの出入り口の開口部巾の床梁を削除した」と訂正する。
　ｂ．明細書３頁下から３〜２行の「一側を出入り口として外方へ開口させ」を、「一側を出入り口として外方へ開口させこの出入り口の開口部巾の床梁を削除した」と訂正する。
　ｃ．明細書５頁１０行の［出入り口１１を開口させ」を、「出入り口１１を開口させ、この出入り口１１の下方に位置する梁部材の床梁を開口部巾に削除し（第２図参照）、」と訂正する。
２．訂正の適否についての判断
（１）訂正の目的の適否、新規事項の有無、及び拡張・変更の存否について
　▲１▼訂正ａについて
　この訂正は、特許請求の範囲（１）中の「一側を出入り口として外方へ開口させ」を、「一側を出入り口として外方へ開口させこの出入り口の開口部巾の床梁を削除した」とし、玄関ポーチ部の構成を限定するものであるから、この訂正は、特許請求の範囲の減縮を目的とするものである。
　そして、この訂正は、願書に添付した図面の第２図の記載に基づくものであるから、願書に添付した明細書又は図面に記載した事項の範囲内のものであり、しかも実質上特許請求の範囲を拡張し又は変更するものではない。
　▲２▼訂正ｂ及びｃについて
　これらの訂正は、特許請求の範囲の訂正に伴い、特許請求の範囲の記載と発明の詳細な説明の記載との整合を図るものであり、明りょうでない記載の釈明を目的とするものである。
　そして、これらの訂正は、願書に添付した図面の第２図の記載に基づくものであるから、願書に添付した明細書又は図面に記載した事項の範囲内のものであり、しかも実質上特許請求の範囲を拡張し又は変更するものではない。
（２）独立特許要件について
　▲１▼訂正明細書の請求項１に係る発明
　訂正明細書の請求項１に係る発明は、その特許請求の範囲の請求項１に記載されたとおりの次のものと認める。
「（１）柱部材と梁部材を角型に組んで形成された骨組を有するユニットを複数結合して構築するユニット住宅の一ユニットをなし、このユニット住宅の出入り口部を構成する出入り口部ユニットにおいて、一側を出入り口として外方へ開口させこの出入り口の開口部巾の床梁を削除した天井と外壁とを有する引き込み型の玄関ポーチ部と、この玄関ポーチ部へ通じ玄関ポーチ部との間が戸によって仕切られた玄関部と、この玄関部へ通じる玄関ホール部とを具備することを特徴とするユニット住宅用の出入り口部ユニット。」
　▲２▼刊行物の記載事項
　当審で通知した取消理由において引用した刊行物１である、特公昭５４−１３６８７号公報（異議申立人が提出した甲第２号証）には、特許請求の範囲の記載、第１図及び第２図の記載からみて「柱と桁梁を角型に組んで形成された骨組を有するユニットを複数結合して構築するユニット住宅の一ユニットをなし、このユニット住宅の出入り口部を構成する出入り口ユニットにおいて、外の玄関ポーチ部と戸によって仕切られ天井を有する玄関部と、玄関部へ通じる玄関ホール部とを具備する住宅用の出入り口部ユニット」が記載されているものと認める。
　同じく取消理由において引用した刊行物２である、米国特許第４０５０２１５号明細書（異議申立人が提出した甲第３号証）には、アブストラクトの記載、明細書１０欄４３行〜１１欄１４行の記載（異議申立人が提出した特許異議申立書に添付した訳文参照。）、ＦＩＧ．９及びＦＩＧ．１０の記載からみて、
「ユニットを複数結合して構築するユニット住宅の一ユニットをなし、ユニット住宅の出入り口部を構成するユニット４１において、一側を出入り口として外方へ開口させ壁を有する引き込み型の玄関ポーチ５２を具備するユニット」が記載されているものと認める。
　また、異議申立人が提出した甲第１号証である特公昭５２−４３０１１号公報（以下、「刊行物３」という。）には、特許請求の範囲の記載、６欄２７〜４３行の記載、及び第７図の記載からみて、
「複数個の家屋構成単位を結合して構築するユニット家屋において、家屋構成単位に、敷板４１に４本の支柱４２を立設して側板４３、扉４４及び屋根４９を取り付けた出入り口部を構成する玄関装置４０を取り付け、扉４４の前方に軒４９１を有する玄関ポーチを設けた構造」
が記載されているものと認める。
　▲３▼対比・判断
　訂正明細書の請求項１に係る発明と刊行物１に記載された発明とを対比すると、両者は、
「柱部材（柱）と梁部材（桁梁）を角型に組んで形成された骨組を有するユニットを複数結合して構築するユニット住宅の一ユニットをなし、このユニット住宅の出入り口部を構成する出入り口部ユニットにおいて、玄関ポーチ部へ通じ玄関ポーチ部との間が戸によって仕切られた玄関部と、この玄関部へ通じる玄関ホール部とを具備するユニット住宅用の出入り口部ユニット」である点で一致しているが、
訂正明細書の請求項１に係る発明は、一側を出入り口として外方へ開口させこの出入り口の開口部巾の床梁を削除した天井と外壁とを有する引き込み型の玄関ポーチ部を具備するのに対し、刊行物１に記載された発明は、玄関ポーチ部を備えていない点で相違する。
　相違点について検討すると、刊行物２には、ユニット住宅の出入り口部を構成するユニットにおいて、一側を出入り口として外方へ開口させ、壁を有する引き込み型の玄関ポーチを設けることは記載されているが、相違点で挙げた訂正明細書の請求項１に係る発明の構成における「出入り口の開口部巾の床梁を削除した」構成は記載されておらず、示唆もされていない。
　また、刊行物３には、ユニット家屋の出入り口部を構成する玄関装置（出入り口ユニット）において、扉の前方に軒を有する玄関ポーチを設けることは記載されているが、引き込み型の玄関ポーチを設けることは記載されていない。
　そして、訂正明細書の請求項１に係る発明は、「出入り口の開口部巾の床梁を削除した引き込み型の玄関ポーチ部を具備する」構成を備えることにより「出入り口で人がつまずくようなことがなく、且つ、玄関土間の塵等が玄関床の上に移動しにくい高さを確保可能となり清潔が保たれ」（平成１０年１１月１２日付けの特許異議意見書３頁２９行〜４頁１行）という各刊行物に記載された発明からは期待できない効果を奏するものである。
　したがって、訂正明細書の請求項１に係る発明は、刊行物１〜３に記載された発明に基いて、当業者が容易に発明をすることができたものとすることはできない。
　よって、訂正明細書の請求項１に係る発明（以下、「本件請求項１に係る発明」という。）は、特許出願の際独立して特許を受けることができるものである。
（３）まとめ
　以上のとおりであるから、訂正ａ〜ｃは、特許法等の一部を改正する法律（平成６年法律１１６号）附則６条１項の規定によりなお従前の例によるとされる、特許法１２０条の４第２項ただし書１又は３号に掲げる事項を目的とし、同条３項で準用する１２６条２〜４項の規定に適合するので、本件訂正請求を認める。
〔ＩＩＩ〕　特許異議の申立てについて
１．特許異議の申立ての理由の概要
　異議申立人は、甲第１〜第３号証を提出して、本件請求項１に係る発明は、甲第１〜第３号証に記載された発明に基いて当業者が容易に発明をすることができたものであるから、特許法２９条２項の規定により特許を受けることができないものであり、その特許を取り消すべきである旨主張している。
２．特許異議の申立ての理由についての判断
　上記〔ＩＩ〕２．（２）に記載したように、本件請求項１に係る発明は、刊行物１（異議申立人が提出した甲第２号証）、刊行物２（同じく甲第３号証）及び刊行物３（同じく甲第１号証）に記載された発明に基いて当業者が容易に発明をすることができたものとすることはできない。
〔ＩＶ〕　むすび
　以上のとおりであるから、異議申立人の主張する理由及び提出した証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年７月５日（１９９９．７．５）
【訂正の要旨】
　本件訂正は、願書に添付された明細書の記載を、特許請求の範囲の減縮を目的として、下記ａのとおり、及び明りようでない記載の釈明を目的として、下記ｂ及びｃのとおり訂正するものである。
　ａ．特許請求の範囲（１）中の「一側を出入り口として外方へ開口させ」を、「一側を出入り口として外方へ開口させこの出入り口の開口部巾の床梁を削除した」と訂正する。
　ｂ．明細書３頁下から３〜２行の「一側を出入り口として外方へ開口させ」を、「一側を出入り口として外方へ開口させこの出入り口の開口部巾の床梁を削除した」と訂正する。
　ｃ．明細書５頁１０行の「出入り口１１を開口させ」を、「出入り口１１を開口させ、この出入り口１１の下方に位置する梁部材の床梁を開口部巾に削除し（第２図参照）、」と訂正する。
（５４）【発明の名称】
ユニット住宅用の出入り口部ユニット
（５７）【特許請求の範囲】
（１）柱部材と梁部材を角型に組んで形成された骨組を有するユニットを複数結合して構築するユニット住宅の一ユニットをなし、このユニット住宅の出入り口部を構成する出入り口部ユニットにおいて、一側を出入り口として外方へ開口させ
この出入り口の開口部巾の床梁を削除した
【発明の詳細な説明】
〔産業上の利用分野〕
　この発明は、ユニット住宅の一部を構成する出入り口部ユニットに関するものである。
〔従来の技術〕
　ユニット住宅は、特開昭５６−６８４０号公報に開示されているように、柱部材と梁部材を角型に組んだ骨組に、居室、台所、浴室、出入り口等それぞれの目的に応じた内外装を施してユニット化した居室ユニット、台所ユニット、浴室ユニット、出入り口部ユニット等を有機的に結合して構築される建物である。
　従来のユニット住宅における出入り口部ユニットは、特公昭５４−１３６８７号公報に開示されたような構造のものが一般的であった。即ち、骨組の内部の一部が玄関部になっていて、玄関部の奥が玄関ホール部となっていた。この出入り口部ユニットを施工場所に設置した時、出入り口部ユニットの外であって玄関部の手前側が玄関ポーチとなる。
　したがって、引き込み型の玄関にしたい場合には、出入り口部ユニットを据え付け場所に設置した後に、据え付け場所において玄関の手前側に屋根や壁を設け、玄関前の上記ポーチを囲うようにしていた。
〔発明が解決しようとする課題〕
　このように、従来の出入り口部ユニットを用いて引き込み型の玄関を構築した場合には、据え付け場所での作業が増え、ユニット住宅の長所の一つであるところの現地作業時間の短さを損ねるという欠点があった。
　この発明は上述従来の技術の問題点に鑑みてなされたものであり、その目的とするところは、据え付け場所における作業時間の短縮化を図ることができるユニット住宅用の出入り口部ユニットを提供しようとするところにある。
〔問題点を解決するための手段〕
　この発明は上記目的を達成するためになされたもので、その要旨は、柱部材と梁部材を角型に組んで形成された骨組を有するユニットを複数結合して構築するユニット住宅の一ユニットをなし、このユニット住宅の出入り口部を構成する出入り口部ユニットにおいて、一側を出入り口として外方へ開口させ
この出入り口の開口部巾の床梁を削除した
〔作用〕
　出入り口部ユニットに引き込み型の玄関ポーチ部が備えられているので、据え付け場所において出入り口部ユニットを設置すると、これと同時に引き込み型の玄関ポーチ部も構築されることになり、据え付け場所での作業工数、作業時間を大幅に削減することができる。
〔実施例〕
　以下、この発明の一実施例を第１図から第５図までの図面に基づいて説明する。
　第１図は据え付け場所に設置されたユニット住宅の平面見取り図の一部である。この図において二点鎖線で囲まれた部分のうち符号Ａが出入り口部ユニットであり、その両側にはそれぞれ居室ユニットＢ、Ｃが設置され、奥には廊下・階段ユニットＤが設置されている。
　第２図は出入り口部ユニットＡを前方上側から見た外観斜視図の一部を示すものであり、第３図は出入り口部ユニットＡの前部を中心とする横断面図である。
　出入り口部ユニットＡは柱部材１、梁部材２等を角型に組んで形成した骨組３を有し、外部に近い側から奥に向かって順に、玄関ポーチ部１０、玄関部２０、玄関ホール部３０の三つの空間が配置されている。
　上記玄関ポーチ部１０は、前方（第１図において上方）に出入り口１１を開口させ、
この出入り口１１の下方に位置する梁部材の床梁を開口部巾に削除し（第２図参照）、
　一方、出入り口部ユニットＡの玄関部２０は、隣接する他のユニットＢ、Ｃとの取り合い部を除き、その内側面に内壁パネル２１が取り付けられ、上部に天井パネル（図示せず）が取り付けられている。玄関部２０の下部は開放されている。
　又、玄関ホール部３０も、隣接する他のユニットＢ、Ｃとの取り合い部を除き、その内面側に内壁パネルが取り付けられ、上部に天井パネルが取り付けられている（どちらも図示せず）。ただし、この玄関ホール部３０の下部には床パネル３１（第１図参照）が取り付けられている。又、玄関ホール部３０は隣接する居室ユニットＢに通ずる開口３２と、廊下・階段ユニットＤに通ずる開口３３とを有している。
　上述構成の出入り口部ユニットＡは工場において組み立てを完了しておく。
　そして、他の居室ユニットＢ、Ｃや廊下・階段ユニットＤ等とともに据え付け場所に運搬し、所定の位置に据え付ければ、引き込み型の玄関ポーチが構築されることとなる。即ち、この据え付け場所において据え付け作業以外に行う作業は、玄関部２０のたたきにタイルを設置したり、隣接する他のユニットＢ、Ｃ、Ｄとの取り合い部の内外壁パネルや床パネルを取り付けたりという最小限の仕上げ作業だけとなる。したがって、従来の引き込み型玄関を構築する場合に比べて、据え付け場所における作業工数及び作業時間が大幅に削減される。
　この発明は上述実施例に制約されず種々の態様が採用可能である。
　例えば、予め工場にて玄関部のたたきに床材を設置しておいてもよい。又、出入り口部ユニットがユニット住宅の隅部に設置される場合には、出入り口としての開口を出入り口部ユニットの正面側でなく側方に位置させるようにしてもよい。
〔発明の効果〕
　以上説明したように、この発明によれば、出入り口部ユニットに引き込み型の玄関ポーチ部が予め備えられているので、据え付け場所において出入り口部ユニットを設置すると、これと同時に引き込み型の玄関ポーチ部も構築されることになり、据え付け場所での作業工数、作業時間を大幅に減らすことができるという優れた効果が奏される。
【図面の簡単な説明】
　第１図から第５図までの図面はこの発明の一実施例を示すものであり、第１図は住宅ユニットの平面見取り図、第２図は出入り口部ユニットの前部を上側から見た外観斜視図、第３図は同横断面図、第４図、第５図は玄関ポーチ部に取り付けられた化粧モール取り付け部の拡大横断面図である。
　　　１…柱部材、　２…梁部材、　３…骨組、
　　　１０…玄関ポーチ部、１１…出入り口、
　　　１２…玄関ドア（戸）、１４…外壁パネル、
　　　１６…天井パネル、２０…玄関部、
　　　３０…玄関ホール部
　　　Ａ…出入り口部ユニット。